(57)【特許請求の範囲】
【請求項１】
金属製の上下フレーム材と左右の縦フレーム材とを組んでなるフレーム体に対し、上下枠及び左右の縦枠を方形状に枠組みしてなるドア枠体を取付けて一体化してなるドアフレームを有するドアにおいて、
前記ドア枠体を構成する前記上枠と左右の縦枠は、金属枠の室内側に樹脂枠が取付けられてなり、前記樹脂枠の室内側には三辺に渡って金属製の室内額縁材が取付けられ、前記室内額縁材とフレーム体は熱的に絶縁されていることを特徴とするドア。
【請求項２】
前記室内額縁材は室外端部が前記樹脂枠に接触すると共に、額縁固定金具を介して前記樹脂枠に固着されることを特徴とする請求項１記載のドア。
【請求項３】
前記樹脂枠の内周面と前記室内額縁材の内周面は連続状とされてなることを特徴とする請求項１または２記載のドア。
【発明の詳細な説明】
【技術分野】
【０００１】
本発明は、上下フレーム材と縦フレーム材を組んでなるフレーム体にドア枠体を取付けてなるドアフレームを有するドアに関し、特にドア枠体の室内側に設けられる室内額縁材が断熱されたドアに関する。
【背景技術】
【０００２】
従来、建物躯体に対して窓枠体を効率よく取付けるため、窓枠体にフレーム体を取付けてなるサッシフレームを躯体開口部に取付ける構造が知られている。窓枠体は、上下枠と左右の縦枠を方形状に枠組みしてなり、フレーム体はこの窓枠体を取り囲むように、上フレーム材と下フレーム材及び左右の縦フレーム材がそれぞれ上下枠及び縦枠に固定される。
【０００３】
サッシフレームについては、窓枠体とフレーム体とを工場で固定して予めユニット化しておき、施工現場ではフレーム体を躯体開口部に取付けられた下地材に対して固定する工法が考えられている。この工法によれば、施工現場での作業を大幅に減らすことができ、作業性を良好にすることができる。このようなサッシフレームとしては、例えば特許文献１に挙げるようなものがある。
【先行技術文献】
【特許文献】
【０００４】
【特許文献１】特開平６−２９９７５８号公報
【発明の概要】
【発明が解決しようとする課題】
【０００５】
このように、窓サッシについては、フレーム体を用いた工法が知られているが、玄関に設けられるドアについては、フレーム体を用いることなく、建物駆体に対して直接取付けられる構造となっていたため、作業性が良好ではないという問題があった。
【０００６】
このため、ドア枠体をフレーム体に取付けてなるドアフレームを形成し、ドアフレームを建物駆体に取付ける構造が考えられるが、ドア枠体の室内側に設けられる金属製の室内額縁材を、室外側と熱的に絶縁した構造は、これまで知られていない。室内額縁材が室外側と熱的に連通することで、断熱性能が低下すると共に、結露を生じるなどの問題があり、室内額縁材を断熱した状態でドアフレームに取付ける構造が望まれていた。
【０００７】
本発明は前記課題を鑑みてなされたものであり、ドア枠体の室内側に設けられる室内額縁材を室外側と断熱した状態でドアフレームに取付けることのできるドアを提供することを目的とする。
【課題を解決するための手段】
【０００８】
前記課題を解決するため、本発明に係るドアは、金属製の上下フレーム材と左右の縦フレーム材とを組んでなるフレーム体に対し、上下枠及び左右の縦枠を方形状に枠組みしてなるドア枠体を取付けて一体化してなるドアフレームを有するドアにおいて、
前記ドア枠体を構成する前記上枠と左右の縦枠は、金属枠の室内側に樹脂枠が取付けられてなり、前記樹脂枠の室内側には三辺に渡って金属製の室内額縁材が取付けられ、前記室内額縁材とフレーム体は熱的に絶縁されていることを特徴として構成されている。
【０００９】
また、本発明に係るドアは、前記室内額縁材は室外端部が前記樹脂枠に接触すると共に、額縁固定金具を介して前記樹脂枠に固着されることを特徴として構成されている。
【００１０】
さらに、本発明に係るドアは、前記樹脂枠の内周面と前記室内額縁材の内周面は連続状とされてなることを特徴として構成されている。
【発明の効果】
【００１１】
本発明に係るドアによれば、上枠と左右の縦枠は、金属枠の室内側に樹脂枠が取付けられ、樹脂枠の室内側には三辺に渡って金属製の室内額縁材が取付けられ、室内額縁材とフレーム体は熱的に絶縁されていることにより、金属枠を樹脂枠で室内側と断熱しつつ、ドア枠体の室内側に設けられる室内額縁材を室外側と断熱した状態でドアフレームに取付けることができる。
【００１２】
また、本発明に係るドアによれば、室内額縁材は室外端部が樹脂枠に接触し、額縁固定金具を介して樹脂枠に固着されることにより、樹脂枠の設計自由度を高くすることができる。
【００１３】
さらに、本発明に係るドアによれば、樹脂枠の内周面と室内額縁材の内周面は連続状とされてなることにより、ドアの内観を良好にして意匠性を向上させることができる。
【図面の簡単な説明】
【００１４】
【図１】本実施形態におけるドアの縦断面図である。
【図２】本実施形態におけるドアの横断面図である。
【図３】図１のうち上フレーム材及びドア枠体の上枠付近拡大図である。
【図４】図２のうち一方の縦フレーム材及びドア枠体の縦枠付近拡大図である。
【発明を実施するための形態】
【００１５】
本発明の実施形態について図面に沿って詳細に説明する。図１には本実施形態におけるドアの縦断面図を、図２には本実施形態におけるドアの横断面図を、それぞれ示している。本実施形態のドアは、建物開口部に取付けられるものであり、建物開口部は、上辺に上固定部１を備え、下辺は開口底面２により構成される。開口底面２には下部取付金具３が設けられる。これら上固定部１と下部取付金具３が、ドアを取付ける建物駆体の取付部を構成する。
【００１６】
ドアは、上フレーム材１０と下フレーム材１１及び左右の縦フレーム材１２を組んでなるスチール製のフレーム体４に、上枠２０と下枠２１及び左右の縦枠２２を方形状に枠組みしてなるドア枠体５を納めてドアフレームを構成し、さらにドア枠体５にはドア本体６を開閉自在に納めて構成されている。ドアフレーム及びドア枠体５は、工場で予め組み立てられたものであり、それを取付ける現場に運んで、フレーム体４を建物駆体に対して取付けることで、現場におけるドアの設置作業が容易となるようにしている。
【００１７】
また、ドアフレームを建物開口部に取付けた後に、フレーム体４の周囲には断熱材８や外壁材７が取付けられ、さらに床面９を形成するため、開口底面２に設けられた下部取付金具３や下フレーム材１１を埋設するようにモルタルによる仕上げがなされる。
【００１８】
まず、フレーム体４の構成について説明する。図１及び図２に示すように、左右の縦フレーム材１２は、建物開口部の略全高に渡る高さを有しており、上端部が上固定部１に対して固着され、また下端部が下部取付金具３に対して固着される。また、下フレーム材１１は、室内面が下部取付金具３に対して縦フレーム材１２と共に固着され、縦フレーム材１２の室外側に取付けられる。上フレーム材１０は、縦フレーム材１２の上端よりも下方の中間位置に配置され、室内面が縦フレーム材１２の室外面に対して固着される。すなわち、フレーム体４は、上下方向に伸びる縦フレーム材１２の室外面に対し、上フレーム材１０と下フレーム材１１の各室内面が固着され組まれている。
【００１９】
上フレーム材１０は、縦フレーム材１２に対して固着される室内面部１０ａと、室内面部１０ａから室外側に延出される室外延出部１０ｂと、室外延出部１０ｂの室外端部において下方に屈曲して室外側に面する上辺固定部１０ｃとを有している。上辺固定部１０ｃに対しては、ドア枠体５の上枠２０が、室外側から当接し、ネジ止め固定される。
【００２０】
上フレーム材１０の外周室外側には、外壁材７が配置される。また、上フレーム材１０の室内側には、外壁材７の室内側及び上枠２０の室内側と連続して断熱材８が設けられる。断熱材８は、上固定部１の位置から外壁材７の室内面に沿い、上フレーム材１０の室内面を経て上枠２０の室内側までを連続的に覆って、断熱性の向上を図っている。
【００２１】
下フレーム材１１は、縦フレーム材１２と共に下部取付金具３に対して固着される室内面部１１ａと、室内面部１１ａから室外側に延出される室外延出部１１ｂと、室外延出部１１ｂの室外端部を構成する下辺固定部１１ｃとを有している。下辺固定部１１ｃに対しては、ドア枠体５の下枠２１の室外端部に形成された下辺固着面部２１ａが上方から当接し、ネジ止め固定される。
【００２２】
ドア枠体５の構成についてより詳細に説明する。図１及び図２に示すように、ドア枠体５を構成する上枠２０は、断面中空状の枠本体２０ｂと、枠本体２０ｂの室内面から室内側に延出される室内部２０ｃを備えた金属部分を有している。枠本体２０ｂの上面には、上方に向かって伸びるように屈曲する上辺固着面部２０ａが形成され、前述したように上フレーム材１０の上辺固定部１０ｃに対して当接すると共にネジ止め固定される。また、室内部２０ｃには、室内露出部分を覆うように樹脂上枠２３が設けられる。
【００２３】
ドア枠体５を構成する下枠２１は金属材からなり、下フレーム材１１の室外延出部１１ｂに支持され室外側の床面９と同じ高さの平面状に形成された敷居面部２１ｂと、敷居面部２１ｂの室外端から段差を介して下方に形成され、下フレーム材１１に対して固着される前述の下辺固着面部２１ａと、敷居面部２１ｂから室内側に伸び、室内側の床面９と同じ高さとされるカバー体２５が取付けられる室内部２１ｃとを有している。なお、下辺固着面部２１ａが固着される部分は、床面９より下方にあり、したがって、下辺固着面部２１ａはモルタルに埋設されることとなる。
【００２４】
縦フレーム材１２に対しては、ドア枠体５を構成する縦枠２２が離隔配置されており、直接の固定はなされていない。すなわち、ドア枠体５のフレーム体４に対する固定は、上辺においてドア枠体５の上枠２０が室外側から上フレーム材１０に当接しネジ止め固定され、下辺においてドア枠体５の下枠２１が上方から下フレーム材１１に当接しネジ止め固定されることでなされる。このため、ドア枠体５をフレーム体４から取り外す際、上枠２０と下枠２１をそれぞれ上フレーム材１０と下フレーム材１１から取り外すだけでよい。下枠２１は、下辺固着面部２１ａがモルタルに埋設されているが、その領域のみモルタルを除去すれば、その他の床面９及び外壁材７等を破壊することなく、容易にドア枠体５を取り外すことができる。これにより、ドアの交換、メンテナンスを容易にすることができる。
【００２５】
ドア枠体５を構成する縦枠２２は、前述のようにフレーム体４には固定されていないが、上枠２０と下枠２１にはそれぞれ連結されている。縦枠２２は、上枠２０と同様、断面中空状の枠本体２２ｂと、枠本体２２ｂの室内面から室内側に向かって延出される室内部２２ｃとを備えた金属部分を有している。また、室内部２２ｃには、室内露出部分を覆うように樹脂縦枠２４が設けられる。
【００２６】
図３には、図１のうち上フレーム材１０及びドア枠体５の上枠２０付近拡大図を示している。この図に示すように、上枠２０において室内部２０ｃは、金属材の部分が枠本体２０ｂから室内側に伸び、その先端部が上方に向かうように屈曲して室内当接面２０ｄを構成している。樹脂上枠２３は、枠本体２０ｂの室内面下端部と室内部２０ｃの金属部分とでなす断面略Ｌ字状の面を覆うように配設される。
【００２７】
樹脂上枠２３は断面中空状に形成され、枠本体２０ｂの室内面下端部及び室内部２０ｃの金属部分を覆う周面部２３ａと、周面部２３ａの室外端部から内周側である下方に伸び、ドア本体６の室内面と対向して気密材を保持する室外面部２３ｂと、周面部２３ａの室内端部から外周側である上方に伸び、室内当接面２０ｄに対して当接する外周当接部２３ｃとを有している。これにより、樹脂上枠２３はドア枠体５の内周面を構成する室内露出部となっており、枠本体２０ｂと断熱される。
【００２８】
上枠２０は上フレーム材１０の室外寄りに配置されるので、上フレーム材１０の内周面を構成する室外延出部１０ｂは、室外側部分が上枠２０を構成する枠本体２０ｂの外周面と対向し、室内側部分は枠本体２０ｂとは対向していない。このため、上フレーム材１０の内周面と枠本体２０ｂの室内側面及び室内部２０ｃとで断面凹状の空間領域が形成される。この空間領域には、枠取付断熱材２７が設けられる。
【００２９】
枠取付断熱材２７は、上フレーム材１０と枠本体２０ｂ及び室内部２０ｃとで形成された断面凹状の空間領域に略適合するように配設されており、枠本体２０ｂの室内側面に当接すると共に、室内部２０ｃの外周面近傍まで設けられる。この枠取付断熱材２７により、上枠２０の断熱性向上が図られている。
【００３０】
外壁材７の室内側に沿う断熱材８は、前述のように上枠２０の室内側まで連続的に伸びている。すなわち、上枠２０の枠本体２２ｂの室内側には、枠取付断熱材２７と断熱材８が、重なり合って設けられている。これにより、特にドア枠体５の内周面付近の断熱性を高くすることができる。
【００３１】
図４には、図２のうち縦フレーム材１２及びドア枠体５の縦枠２２付近拡大図を示している。この図に示すように、縦辺においては、縦フレーム材１２は縦枠２２の室内側に配置されているが、上辺と同様に、縦枠２２の室内部２２ｃには樹脂縦枠２４が設けられ、この樹脂縦枠２４がドア枠体５の内周面を構成する室内露出部となっており、枠本体２２ｂと断熱される。
【００３２】
また、縦枠２２を構成する枠本体２２ｂの室内面には、枠取付断熱材２７が配設される。枠取付断熱材２７は、縦枠２２の室内部２２ｃの外周面近傍まで設けられる。このように、縦辺においても枠取付断熱材２７により縦枠２２の断熱性向上が図られている。
【００３３】
縦枠２２の外周側には、外壁材７が配置される。また、枠取付断熱材２７の外周部から連続状に断熱材８が配設される。断熱材８は、図２において左右の外壁材７の形状が異なるが、それぞれの外壁材７の室内面に沿うように設けられる。
【００３４】
このように、ドア枠体５の上枠２０と縦枠２２において、枠取付断熱材２７が室内部２０ｃ、２２ｃの外周面近傍まで設けられていることにより、特に高い断熱性が求められるドア枠体５の内周領域における断熱性を向上させることができる。また、枠取付断熱材２７はドア枠体５に対し工場組立の際に接着等で取付けておくことができるので、現場での作業を不要とし、施工性を良好にすることができる。
【００３５】
なお、本実施形態では、上枠２０の室内部２０ｃや縦枠２２の室内部２２ｃを断熱構造とするため、樹脂上枠２３や樹脂縦枠２４を室内露出部としているが、断熱構造はこれには限られず、枠本体と室内部をそれぞれ別体の金属部品により構成し、これらを樹脂製のブリッジ材で接合する構造であってもよい。ブリッジ材による断熱構造では、室内部の室内露出部が金属材であっても、断熱性を確保できる。
【００３６】
図３に示すように、ドア枠体５の上枠２０とドア本体６は、ドアクローザー２６によって連結されている。ドアクローザー２６は、ドア本体６の開閉に対する抵抗力を付与するものであり、上枠２０の内周面に対し当接して固着される面状の固定部２６ａを備えている。固定部２６ａは、上枠２０に対しては樹脂上枠２３の内周面にのみ当接する。
【００３７】
ドアクローザー２６の固定部２６ａは、上枠２０の室内部２０ｃの外周側に設けられるドアクローザー取付金具３２に対してネジ止め固定される。ドアクローザー取付金具３２は、枠本体２０ｂの室内側面と室内部２０ｃの外周部を構成する室内当接面２０ｄの先端部に対して、それぞれ当接するように断面略Ｌ字状をなす連結部３２ａによって構成されている。
【００３８】
ドアクローザー取付金具３２の連結部３２ａは、枠本体２０ｂの室内側面と室内部２０ｃの外周部に沿う断面略Ｌ字状に形成され、このＬ字状に沿う位置まで枠取付断熱材２７が設けられている。すなわち枠取付断熱材２７を、ドアクローザー２６の固定のための部品に干渉されることなく、上枠２０の室内部２０ｃ近傍まで設けることができる。
【００３９】
枠本体２０ｂの室内側面には、連結部３２ａが当接する部分に凹部２０ｅが形成されており、連結部３２ａが納められる。凹部２０ｅは、連結部３２ａの肉厚と、これを固着するためのネジの頭部の高さを合わせた寸法と同等の深さを有するように形成されている。これにより、凹部２０ｅの位置まで設けられる枠取付断熱材２７とドアクローザー取付金具３２とが干渉しないようにし、枠取付断熱材２７の取付が阻害されないようにしている。
【００４０】
ドアクローザー取付金具３２とドアクローザー２６の固着は、樹脂上枠２３内に設けられる中間金具３３を介してなされる。中間金具３３は、断面略方形をなすように形成されており、下面側に対しドアクローザー２６の固定部２６ａから挿通されたネジが螺合され、上面側からドアクローザー取付金具３２の連結部３２ａに対してネジが挿通され螺合される。
【００４１】
本実施形態では、ドアクローザー２６の固定部２６ａからドアクローザー取付金具３２までの距離が大きいため、中間金具３３を介して固着しているが、ドアクローザー２６の固定部２６ａとドアクローザー取付金具３２を直接ネジ止めしてもよいことは、言うまでもない。
【００４２】
図３に示すように、樹脂上枠２３の室内側には、金属製の室内額縁材３０が取付けられる。室内額縁材３０は、樹脂上枠２３の内周面と連続状となる平面状の内周面部３０ａを備え、内周面部３０ａの室内端部には中空部３０ｂが形成されている。建物開口部の室内側には、内壁材３５が設けられており、室内額縁材３０の中空部３０ｂは、内壁材３５の縁部を覆うように配置される。
【００４３】
また、図４に示すように、樹脂縦枠２４の室内側にも、同様の室内額縁材３０が取付けられる。すなわち、ドアの室内側には、上辺と左右の縦辺の三辺に渡って、室内額縁材３０が取付けられて、ドア枠体５の内周面を室内側に延長すると共に、内壁材３５の縁部を覆って意匠性を高めている。
【００４４】
図３に示すように、室内額縁材３０の室外端部３０ｃは、樹脂上枠２３に対して当接している。室内額縁材３０の室外端部３０ｃ付近の外周側には、室内額縁材３０を上枠２０に固定するための額縁固定金具３１が設けられる。額縁固定金具３１は、室内額縁材３０をネジ止め固定する額縁固定面部３１ａと、樹脂上枠２３の外周当接部２３ｃに対して当接しネジ止め固定される枠固定面部３１ｂとで、断面略Ｌ字状をなすように形成されている。
【００４５】
額縁固定金具３１は、額縁固定面部３１ａが室内額縁材３０にのみ当接し、また枠固定面部３１ｂが樹脂上枠２３にのみ当接し、それぞれネジ止め固定されるようにされている。ドアクローザー取付金具３２の室内端部は、額縁固定金具３１の室外端部と近接しているが、これも接触はしていない。すなわち、額縁固定金具３１はドア枠体５の金属部分やフレーム体４には接触せず、したがって室内額縁材３０は、ドア枠体５の金属部分やフレーム体４と熱的に絶縁された構成となっている。
【００４６】
図４に示すように、縦辺においても、上辺と同様の構造で、室内額縁材３０が樹脂縦枠２４に対し、額縁固定金具３１を介して固定される。すなわち、室内額縁材３０は、ドア枠体５の三辺に渡って、金属部材とは熱的に絶縁された状態で固定される。
【００４７】
このように、ドア枠体５の室内部２０、２２を樹脂枠による断熱構造とした上で、室内額縁材３０がドア枠体５の金属部分やフレーム体４から断熱されているので、室内額縁材３０を介した断熱性の低下を防止することができ、また室内額縁材３０に結露が生じることも防止することができる。また、室内額縁材３０を額縁固定金具３１を介して樹脂上枠２３や樹脂縦枠２４に固定するようにしたので、樹脂枠の設計自由度を高くすることができる。
【００４８】
以上、本発明の実施形態について説明したが、本発明の適用は本実施形態には限られず、その技術的思想の範囲内において様々に適用されうるものである。
【符号の説明】
【００４９】
１    上固定部
２    開口底面
３    下部取付金具
４    フレーム体
５    ドア枠体
６    ドア本体
７    外壁材
８    断熱材
９    床面
１０    上フレーム材
１１    下フレーム材
１２    縦フレーム材
２０    上枠
２０ａ  上辺固着面部
２０ｂ  枠本体
２０ｃ  室内部
２１    下枠
２１ａ  下辺固着面部
２１ｂ  敷居面部
２１ｃ  室内部
２２    縦枠
２２ｂ  枠本体
２２ｃ  室内部
２３    樹脂上枠
２４    樹脂縦枠
２５    カバー体
２６    ドアクローザー
２７    枠取付断熱材
３０    室内額縁材
３１    額縁固定金具
３２    ドアクローザー取付金具
３３    中間金具
３５    内壁材
【図１】
0005419788.tif 000002
【図２】
0005419788.tif 000003
【図３】
0005419788.tif 000004
【図４】
0005419788.tif 000005